(57)【要約】      （修正有）【課題】Ｘ線画像診断装置において、目的部位の診断に適した差分画像を表示する。【解決手段】Ｘ線画像診断装置１０は、第１線質を用いる第１撮影条件と、第２線質を用いる第２撮影条件のうち管電圧値とを設定する撮影条件設定部３３と、患者の体厚設定部３４と、ＳＩＤ計測部３６と、被曝線量比設定部３５と、第１撮影条件で第１撮影を実行させる第１撮影実行部３７と、第１撮影条件、ＳＩＤ及び体厚を基に第１被曝線量を算出し、被曝線量比及び第１被曝線量を基に第２被曝線量を算出する第２撮影被曝線量演算部４０と、第２被曝線量、ＳＩＤ及び体厚を基に第２撮影条件のうち管電流値及び撮影時間を算出する第２撮影時間演算部４３と、第２撮影条件で第２撮影を実行させる第２撮影実行部４４と、第１撮影による第１画像と第２撮影による第２画像とを差分処理して差分画像を生成する差分画像生成部４５と、差分画像を表示するディスプレイ２５とを有する。【選択図】図３
2010213799.tif 000002
【特許請求の範囲】
【請求項１】
第１管電圧での第１撮影と、前記第１管電圧とは異なる第２管電圧での第２撮影とによって被検体をそれぞれ撮影して得られる２種のＸ線画像を差分処理して表示するＸ線画像診断装置において、
前記第１撮影の第１被曝線量と前記第２撮影の第２被曝線量との比である被曝線量比を設定する被曝線量比設定手段と、
前記第１撮影における管電流及び撮影時間のうち少なくとも一方の値と、前記被曝線量比とを基に、前記第２撮影における管電流及び撮影時間のうち少なくとも一方を決定する撮影条件決定手段と、
を有することを特徴とするＸ線画像診断装置。
【請求項２】
前記第１撮影における第１撮影条件と、前記第２撮影における第２撮影条件のうち管電圧の値とをそれぞれ設定する手段と、
前記被検体の体厚を設定する手段と、
焦点受像面間距離を計測する手段と、
前記第１撮影条件、前記焦点受像面間距離、及び前記体厚を基に、前記第１被曝線量を算出する手段と、
前記第１被曝線量と、前記被曝線量比設定手段によって設定された前記被曝線量比とを基に、前記第２被曝線量を算出する手段と、
前記第２被曝線量、前記焦点受像面間距離、及び前記体厚を基に、前記第２撮影条件のうち管電流及び撮影時間の値を算出する手段と、
をさらに有することを特徴とする請求項１に記載のＸ線画像診断装置。
【請求項３】
前記第１被曝線量演算手段は、前記第１被曝線量を、前記被検体に入射する入射線量とする構成とすることを特徴とする請求項２に記載のＸ線画像診断装置。
【請求項４】
前記第１被曝線量演算手段は、前記第１被曝線量を、前記被検体が吸収する吸収線量とする構成とすることを特徴とする請求項２に記載のＸ線画像診断装置。
【請求項５】
前記撮影条件設定手段は、前記管電圧値と共に前記第２撮影における管電流値を設定する構成とすることを特徴とする請求項２乃至４のうちいずれか一項に記載のＸ線画像診断装置。
【請求項６】
入射線量がある閾値を超えるとＸ線の曝射を停止させるように指示するＡＥＣセンサをさらに設け、前記撮影条件設定手段は、前記第１撮影条件としての撮影時間を、被検体の被曝を考慮した最大撮影時間として設定する構成とすることを特徴とする請求項２乃至５のうちいずれか一項に記載のＸ線画像診断装置。
【請求項７】
第１管電圧での第１撮影と、前記第１管電圧とは異なる第２管電圧での第２撮影とによって被検体をそれぞれ撮影することによって得られる２種のＸ線画像を差分処理して表示する画像処理装置において、
前記第１撮影の第１被曝線量と前記第２撮影の第２被曝線量との比である被曝線量比を設定する被曝線量比設定手段と、
前記第１撮影における管電流及び撮影時間のうち少なくとも一方の値と、前記被曝線量比とを基に、前記第２撮影における管電流及び撮影時間のうち少なくとも一方を決定する撮影条件決定手段と、
を有することを特徴とする画像処理装置。
【請求項８】
前記第１撮影における第１撮影条件と、前記第２撮影における第２撮影条件のうち管電圧の値とをそれぞれ設定する手段と、
前記被検体の体厚を設定する手段と、
焦点受像面間距離を計測する手段と、
前記第１撮影条件、前記焦点受像面間距離、及び前記体厚を基に、前記第１被曝線量を算出する手段と、
前記第１被曝線量と、前記被曝線量比設定手段によって設定された前記被曝線量比とを基に、前記第２被曝線量を算出する手段と、
前記第２被曝線量、前記焦点受像面間距離、及び前記体厚を基に、前記第２撮影条件のうち管電流及び撮影時間の値を算出する手段と、
をさらに有することを特徴とする請求項７に記載の画像処理装置。
【発明の詳細な説明】
【技術分野】
【０００１】
本発明は、デュアルエナジーサブトラクション方式を用いたＸ線撮影に使用されるＸ線画像診断装置及び画像処理装置に関する。
【背景技術】
【０００２】
Ｘ線画像診断装置によるＸ線撮影法の一つであるデジタルサブトラクション法の中に、同一撮影位置で管電圧値を変えて線質の異なるＸ線による２枚の撮影画像を取得し、各画像の濃度値に重み係数（ｗ値）を掛けて（重み係数を加えたり、下駄を履かせたりする等も可能）、対応する画素毎に引算を行なうことにより、撮影画像の中から例えばＸ線吸収の大きい骨等を消去した差分画像や、逆にＸ線吸収の小さい軟組織等を消去した差分画像を得るデュアルエナジー（ＤＥ）サブトラクション法と呼ばれるものがある。なお、高管電圧値での撮影条件と低管電圧値撮影条件は、自動露出制御（ＡＥＣ：ａｕｔｏｍａｔｉｃ  ｅｘｐｏｓｕｒｅ  ｃｏｎｔｒｏｌ）機能によってそれぞれ決定されるのが一般的である。
【０００３】
ここで、ＤＥサブトラクション法では、Ｘ線画像診断装置は、高管電圧値撮影で取得される撮影画像Ｉｈと、低管電圧値撮影で取得される撮影画像Ｉｌとを基に、次の式（α）を用いて、差分画像（デュアルエナジー画像）Ｉｓを生成する。なお、次の式（α）のうち、差分係数をＡ、オフセット成分をＢとする。
【数１】
2010213799.tif 000003
【０００４】
差分画像Ｉｓを生成するための上記式（α）は一例にすぎず、差分画像Ｉｓは、次の式のようにより一般的な形で表される場合もある。
【数２】
2010213799.tif 000004
【０００５】
ＤＥサブトラクション法では、Ｘ線画像診断装置は、上記式（α）の差分係数Ａを変化させることで、骨のみあるいは肺血管のみを表示することができる。ＤＥ法では、高管電圧値撮影の撮影条件としての撮影時間と、低管電圧値撮影の撮影条件としての撮影時間とは、それぞれＡＥＣ機能により決まるのが一般的である。
【０００６】
デュアルエナジーサブトラクション方式を用いたＸ線画像診断装置として、特許文献１のような装置がある。
【先行技術文献】
【特許文献】
【０００７】
【特許文献１】特開２００２−３５９７８１号公報
【発明の概要】
【発明が解決しようとする課題】
【０００８】
Ｘ線画像診断装置において差分処理を精度よく実施するためには、２枚の撮影画像上でそれぞれの部位の位置が一致している必要がある。しかしながら、胸部撮影にＤＥサブトラクション法を適用する場合、心臓は常に動いているため、心臓の動きを２枚の撮影画像で同等にするには、２枚の撮影画像で撮影時間を揃えることが望ましい。しかし、通常、胸部撮影では、ＡＥＣ機能を使用して撮影を行なうため、２枚の撮影画像の撮影時間をそろえることは難しい。
【０００９】
本発明は、上述のような事情を考慮してなされたもので、目的部位の診断に適した差分画像を表示できるＸ線画像診断装置及び画像処理装置を提供することを目的とする。
【課題を解決するための手段】
【００１０】
本発明に係るＸ線画像診断装置は、上述した課題を解決するために、第１管電圧での第１撮影と、前記第１管電圧とは異なる第２管電圧での第２撮影とによって被検体をそれぞれ撮影して得られる２種のＸ線画像を差分処理して表示するＸ線画像診断装置において、前記第１撮影の第１被曝線量と前記第２撮影の第２被曝線量との比である被曝線量比を設定する被曝線量比設定手段と、前記第１撮影における管電流及び撮影時間のうち少なくとも一方の値と、前記被曝線量比とを基に、前記第２撮影における管電流及び撮影時間のうち少なくとも一方を決定する撮影条件決定手段と、を有する。
【００１１】
本発明に係る画像処理装置は、上述した課題を解決するために、第１管電圧での第１撮影と、前記第１管電圧とは異なる第２管電圧での第２撮影とによって被検体をそれぞれ撮影することによって得られる２種のＸ線画像を差分処理して表示する画像処理装置において、前記第１撮影の第１被曝線量と前記第２撮影の第２被曝線量との比である被曝線量比を設定する被曝線量比設定手段と、前記第１撮影における管電流及び撮影時間のうち少なくとも一方の値と、前記被曝線量比とを基に、前記第２撮影における管電流及び撮影時間のうち少なくとも一方を決定する撮影条件決定手段と、を有する。
【発明の効果】
【００１２】
本発明に係るＸ線画像診断装置及び画像処理装置によると、目的部位の診断に適した差分画像を表示できる。
【図面の簡単な説明】
【００１３】
【図１】本実施形態のＸ線画像診断装置の全体構成を示す概略図。
【図２】本実施形態の画像処理装置の構成を示す図。
【図３】第１実施形態のＸ線画像診断装置の機能を示すブロック図。
【図４】第１撮影における基準面入射線量を算出するためのグラフを示す図。
【図５】Ｘ線管の焦点から患者入射面までの距離の算出方法の概念を示す図。
【図６】第１撮影における患者入射線量を算出するためのグラフを示す図。
【図７】第２実施形態のＸ線画像診断装置の機能を示すブロック図。
【図８】第１撮影における吸収線量の算出方法の概念を示す図。
【図９】第１撮影における検出器入射線量を算出するためのグラフを示す図。
【図１０】第２撮影における吸収係数を算出するためのグラフを示す図。
【発明を実施するための形態】
【００１４】
本発明に係るＸ線画像診断装置及び画像処理装置の実施形態について、添付図面を参照して説明する。
【００１５】
図１は、第１実施形態のＸ線画像診断装置の全体構成を示す概略図である。
【００１６】
図１は、第１実施形態のＸ線画像診断装置１０を示す。そのＸ線画像診断装置１０は、Ｘ線管１１、受像装置１２、ＡＥＣセンサ１３、画像メモリ１４、画像処理装置１５、コントローラ１６及び高電圧供給器１７を備える。
【００１７】
Ｘ線管１１は、高電圧供給器１７から高電圧電力の供給を受けて、この高電圧電力の条件に応じて被検体（患者）Ｐの所定部位に向かってＸ線を曝射する。Ｘ線管２１は、所定部位を撮影するためのＸ線を曝射することができる。
【００１８】
受像装置１２は、Ｘ線管１１の出射側に設けられ、患者Ｐの所要部位を透過したＸ線を検出する。受像装置１２は、Ｉ．Ｉ．（ｉｍａｇｅ  ｉｎｔｅｎｓｉｆｉｅｒ）−ＴＶ系であり、大きくは、Ｉ．Ｉ．１２ａ、光学系１２ｂ及びＴＶカメラ１２ｃを備える。なお、受像装置２３は、受像装置１２は、平面検出器（ＦＰＤ：ｆｌａｔ  ｐａｎｅｌ  ｄｅｔｅｃｔｏｒ）であってもよい。
【００１９】
Ｉ．Ｉ．１２ａは、患者Ｐを透過したＸ線を可視光に変換し、さらに、光−電子−光変換の過程で輝度の倍増を行なって感度のよい投影データを形成させる。光学系１２ｂは、Ｉ．Ｉ．１２ａの出力像をＴＶカメラ１２ｃに結像する。ＴＶカメラ１２ｃは、ＣＣＤ（ｃｈａｒｇｅ  ｃｏｕｐｌｅｄ  ｄｅｖｉｃｅ）撮像素子を用いて光学的な投影データを電気信号に変換する。
【００２０】
ＡＥＣセンサ１３は、受像装置１２の前面に配置されるセンサである。ＡＥＣセンサ１３は、入射線量がある閾値を超えるとＸ線の曝射を停止させるようにコントローラ１６に指示する。なお、閾値は、数段階で設定することが可能である。
【００２１】
画像メモリ１４は、ＴＶカメラ１２ｃからの撮影画像をデータとして記憶する。
【００２２】
図２は、画像処理装置１５の構成を示す図である。
【００２３】
画像処理装置１５は、ＣＰＵ２１、包括メモリ２２、ＨＤ（ｈａｒｄ  ｄｉｓｋ）２３、通信制御装置２４、ディスプレイ２５及び入力装置２６を有する。
【００２４】
ＣＰＵ２１は、半導体で構成された電子回路が複数の端子を持つパッケージに封入されている集積回路（ＬＳＩ）の構成をもつ制御装置である。ＣＰＵ２１は、医師及び技師等のオペレータによって入力装置２６が操作等されることにより指令が入力されると、包括メモリ２２に記憶しているプログラムを実行する。又は、ＣＰＵ２１は、ＨＤ２３に記憶しているプログラム、ネットワークＮから転送され通信制御装置２４で受信されてＨＤ２３にインストールされたプログラム、又は記録媒体用のドライブ（図示しない）に装着された記録媒体から読み出されてＨＤ２３にインストールされたプログラムを、包括メモリ２２にロードして実行する。
【００２５】
包括メモリ２２は、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等の要素を兼ね備える構成をもつ記憶装置である。包括メモリ２２は、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及びデータを記憶したり、ＣＰＵ２１のワークメモリやデータの一時的な記憶に用いたりする記憶装置である。
【００２６】
ＨＤ２３は、磁性体を塗布又は蒸着した金属のディスクが読み取り装置（図示しない）に着脱不能で内蔵されている構成をもつ記憶装置である。ＨＤ２３は、画像処理装置１５にインストールされたプログラム（アプリケーションプログラムの他、ＯＳ（ｏｐｅｒａｔｉｎｇ  ｓｙｓｔｅｍ）等も含まれる）や、データを記憶する。また、ＯＳに、ユーザに対する情報の表示にグラフィックを多用し、基礎的な操作を入力装置２６によって行なうことができるＧＵＩ（ｇｒａｐｈｉｃａｌ  ｕｓｅｒ  ｉｎｔｅｒｆａｃｅ）を提供させることもできる。
【００２７】
通信制御装置２４は、各規格に応じた通信制御を行なう。通信制御装置２４は、ネットワークＮに接続することができる機能を有しており、これにより、Ｘ線画像診断装置１０は、通信制御装置２４からネットワークＮ網に接続することができる。
【００２８】
ディスプレイ２５は、液晶ディスプレイやＣＲＴ（ｃａｔｈｏｄｅ  ｒａｙ  ｔｕｂｅ）等によって構成される。ディスプレイ２５は、ビデオ信号に基づいて、差分画像を種々のパラメータの文字情報や目盛等と共に表示する機能を有する。
【００２９】
入力装置２６としては、オペレータによって操作が可能なキーボード及びマウス等によって構成される。入力装置２６による操作に従った入力信号は、ＣＰＵ２１に送られる。
【００３０】
図１に示すコントローラ１６は、図示しないＣＰＵ及びメモリを含んでいる。コントローラ１６は、画像処理装置１５のＣＰＵ２１からの指示に従って、高電圧供給器１７の動作を制御する。
【００３１】
高電圧供給器１７は、コントローラ１６による制御の下、Ｘ線管１１に高電圧電力を供給する。
【００３２】
図３は、第１実施形態のＸ線画像診断装置の機能を示すブロック図である。
【００３３】
図２に示すＣＰＵ２１がプログラムを実行することによって、Ｘ線画像診断装置１０は、図３に示すように、インターフェース部３１、患者設定部３２、撮影条件設定部３３、体厚設定部３４、被曝線量比設定部３５、ＳＩＤ（ｓｏｕｒｃｅ  ｔｏ  ｉｍａｇｅ  ｄｉｓｔａｎｃｅ）設定部３６、第１撮影実行部３７、第１撮影管電流量演算部３８、第１撮影入射線量演算部３９、第２撮影被曝線量演算部４０、第２撮影入射線量演算部４１、第２撮影管電流量演算部４２、第２撮影時間演算部４３、第２撮影実行部４４及び差分画像生成部４５として機能する。なお、各部３１乃至４５は、Ｘ線画像診断装置１０の機能として備えられるものとして説明するが、Ｘ線画像診断装置１０にハードウェアとして備えられるものであってもよい。
【００３４】
インターフェース部３１は、ＧＵＩ等のインターフェースである。ＧＵＩは、操作者に対するディスプレイ２５への表示にグラフィックを多用し、基礎的な操作を入力装置２６によって行なうことができる。
【００３５】
患者設定部３２は、インターフェース部３１を介してディスプレイ２５に表示される患者選択画面上で操作者が入力装置２６を用いて所望の患者を選択することで、Ｘ線撮影を行なう患者Ｐを設定する。
【００３６】
撮影条件設定部３３は、インターフェース部３１を介してディスプレイ２５に表示される検査画面上で第１管電圧値による撮影（第１撮影）の撮影条件（第１撮影条件）としての、所望の管電圧値Ｖ、管電流値Ｉ及び撮影時間Ｔが操作者によって選択されることで、第１撮影条件の管電圧値Ｖ１、管電流値Ｉ１及び撮影時間Ｔ１を設定する機能する。ここで、ＡＥＣセンサ１３は、ＯＮ状態であってもＯＦＦ状態であってもよい。ＡＥＣセンサ１３がＯＮ状態である場合、撮影条件設定部３３は、撮影時間Ｔ１として患者Ｐの被曝を考慮した最大撮影時間を設定する。
【００３７】
また、撮影条件設定部３３は、検査画面上で第１管電圧値とは異なる第２管電圧値による撮影（第２撮影）の撮影条件（第２撮影条件）としての所望の管電圧値Ｖのみが操作者によって選択されることで、第２撮影条件の管電圧値Ｖ２を設定する。又は、撮影条件設定部３３は、検査画面上で第２撮影条件としての所望の管電圧値Ｖ及び管電流値Ｉが操作者によって選択されることで、第２撮影条件の管電圧値Ｖ２及び管電流値Ｉ２を設定する。ここで、第１撮影と第２撮影とで撮影時間を揃える必要がある場合、撮影条件設定部３３は、第２撮影条件として、管電圧値Ｖ２のみを設定する。一方、第１撮影と第２撮影とで撮影時間を揃える必要がない場合、撮影条件設定部３３は、第２撮影条件として、管電圧値Ｖ２及び管電流値Ｉ２を設定する。
【００３８】
なお、Ｘ線画像診断装置１０は、第１撮影を、比較的高い管電圧値による撮影とする一方、第２撮影を、比較的低い管電圧値による低管電圧値による撮影とする場合や、第１撮影を、比較的低い管電圧値による撮影とする一方、第２撮影を、比較的高い管電圧値による撮影とする場合がある。
【００３９】
体厚設定部３４は、操作者が入力装置２６を操作してインターフェース部３１を介して入力する入力信号を基に、入力患者設定部３２によって設定された患者Ｐの体厚ｄを設定する。
【００４０】
被曝線量比設定部３５は、インターフェース部３１を介してディスプレイ２５に表示される検査画面上で所望の被曝線量比が操作者によって選択されることで、被曝線量比Ｒを設定する。被曝線量比は、第１撮影による患者Ｐの被曝線量と第２撮影による患者Ｐの被曝線量との比である。
【００４１】
ＳＩＤ計測部３６は、Ｘ線管１１及び受像装置１２がポジショニングされると、Ｘ線管１１及び受像装置１２の位置を認識して、Ｘ線管１１の焦点と受像装置１２との距離であるＳＩＤ（焦点受像面間距離）を計測する。
【００４２】
第１撮影実行部３７は、インターフェース部３１を介して入力装置２６から第１撮影の実行の指示を受けると、撮影条件設定部３３によって設定された第１撮影条件に従ってコントローラ１６を制御して、第１撮影を実行する。第１撮影実行部３７による第１撮影で取得される第１撮影画像は、画像メモリ１４に記憶される。
【００４３】
第１撮影管電流量演算部３８は、第１撮影実行部３７による第１撮影の後、撮影条件設定部３３によって設定された第１撮影条件としての管電流値Ｉ１及び撮影時間Ｔ１を基に、次の式を用いて、第１撮影における管電流量Ｑ１を算出する。なお、第１撮影実行部３７による第１撮影がＡＥＣセンサ１３のＯＮ状態で行なわれた場合、第１撮影条件としての撮影時間Ｔ１は、設定の撮影時間ではなく、実際の撮影時間とすることが好適である。
【数３】
2010213799.tif 000005
【００４４】
第１撮影入射線量演算部３９は、撮影条件設定部３３によって設定された第１撮影条件としての管電圧値Ｖ１と、第１撮影管電流量演算部３８によって算出された管電流量Ｑ１とを基に、図４に示すグラフに従って、Ｘ線管１１の焦点から基準面までの距離Ｌｓにおける、第１撮影における基準面入射線量Ｄｐｓ１を算出する。図４に示すように、管電圧値Ｖの大きさによって、グラフ中の傾きＡｐが異なる（傾きＡｐが管電圧値Ｖの関数となっている）。
【００４５】
また、図３に示す第１撮影入射線量演算部３９は、体厚設定部３４によって設定された体厚ｄと、ＳＩＤ計測部３６によって計測されたＳＩＤとを基に、次の式を用いて、Ｘ線管１１の焦点から患者入射面までの距離Ｌｐを算出する。Ｘ線管１１の焦点から患者入射面までの距離Ｌｐの算出方法の概念を図５に示す。
【数４】
2010213799.tif 000006
【００４６】
さらに、図３に示す第１撮影入射線量演算部３９は、算出された第１撮影における基準面入射線量Ｄｐｓ１を、次の式を用いて補正して、第１撮影で患者Ｐに入射する線量である患者入射線量Ｄｐ１を算出する。図６に示すように、第１撮影における患者入射線量Ｄｐ１は、Ｘ線管１１の焦点から患者入射面までの距離Ｌｐの２乗に反比例している。
【数５】
2010213799.tif 000007
【００４７】
図３に示す第２撮影被曝線量演算部４０は、被曝線量Ｄ１を、第１撮影入射線量演算部３９によって算出された患者入射線量Ｄｐ１とし、被曝線量比設定部３５によって設定された被曝線量比Ｒと、患者入射線量Ｄｐ１とを基に、次の式を用いて第２撮影における患者の被曝線量Ｄ２を算出する。
【数６】
2010213799.tif 000008
【００４８】
第２撮影入射線量演算部４１は、第２撮影被曝線量演算部４０によって算出された第２撮影における患者の被曝線量Ｄ２と、Ｘ線管１１の焦点から基準面までの距離Ｌｓと、Ｘ線管１１の焦点から患者入射面までの距離Ｌｐとを基に、次の式を用いて、第２撮影における基準面入射線量Ｄｐｓ２を算出する。
【数７】
2010213799.tif 000009
【００４９】
第２撮影管電流量演算部４２は、第２撮影入射線量演算部４１によって算出された第２撮影における基準面入射線量Ｄｐｓ２と、撮影条件設定部３３によって設定された第２撮影の撮影条件としての管電圧値Ｖ２とを基に、第２撮影における管電流値Ｉ２と撮影時間Ｔ２との積である、第２撮影における管電流量Ｑ２を算出する。
【００５０】
第２撮影時間演算部４３は、撮影条件設定部３３によって第２撮影条件としての管電流値Ｉ２が設定されている場合、次の式を用いて第２撮影における撮影時間Ｔ２を算出する。
【数８】
2010213799.tif 000010
【００５１】
一方、第２撮影時間演算部４３は、撮影条件設定部３３によって第２撮影条件としての管電流値Ｉ２が設定されていない場合、第２撮影における仮の撮影時間Ｔ２´を第１撮影における撮影時間Ｔ１とし、次の式を用いて第２撮影における仮の管電流値Ｉ２´を算出する。
【数９】
2010213799.tif 000011
【００５２】
そして、第２撮影時間演算部４３は、上記式（３）の仮の管電流値Ｉ２´に最も近い設定可能な管電流値を第２撮影における管電流値Ｉ２として設定し、上記式（２）を用いて第２撮影の撮影時間Ｔ２を算出する。
【００５３】
第２撮影実行部４４は、インターフェース部３１を介して入力装置２６から第２撮影の実行の指示を受けると、撮影条件設定部３３によって設定された第２撮影条件としての管電圧値Ｖ２、第２撮影時間演算部４３によって算出された第２撮影条件としての管電流値Ｉ２及び撮影時間Ｔ２に従ってコントローラ１６を制御して、第２撮影を実行する。又は、第２撮影実行部４４は、撮影条件設定部３３によって設定された第２撮影条件としての管電圧値Ｖ２及び管電流値Ｉ２、第２撮影時間演算部４３によって算出された第２撮影条件としての撮影時間Ｔ２に従ってコントローラ１６を制御して、第２撮影を実行する。第２撮影実行部４４による第２撮影で取得される第２撮影画像は、画像メモリ１４に記憶される。
【００５４】
差分画像生成部４５は、第１撮影実行部３７によって取得され画像メモリ１４に記憶される第１撮影画像と、第２撮影実行部４４によって取得され画像メモリ１４に記憶される第２撮影画像とに差分処理を実行することで、差分画像を生成する。差分画像生成部４５は、撮影画像の中から例えばＸ線吸収の大きい骨等を消去した差分画像や、逆にＸ線吸収の小さい軟組織等を消去した差分画像を生成する。差分画像生成部４５によって生成された差分画像は、ディスプレイ２５に表示される。
【００５５】
第１実施形態のＸ線画像診断装置１０によると、第１撮影条件としての管電流値Ｖ１、管電圧値Ｖ１及び撮影時間Ｔ１と、被曝線量比Ｒと、第２撮影条件としての管電圧値Ｖ２とを設定し、被曝線量比Ｒを満たすように第２撮影条件としての管電流値Ｉ２及び撮影時間Ｔ２を演算することで、第１撮影画像及び第２撮影画像の撮影時間を揃えることができるので、目的部位の診断に適した差分画像を表示できる。
【００５６】
図７は、第２実施形態のＸ線画像診断装置の機能を示すブロック図である。なお、第２実施形態のＸ線画像診断装置の構成は、図１及び図２に示す第１実施形態のＸ線画像診断装置の構成と同様であるので、説明を省略する。
【００５７】
図２に示すＣＰＵ２１がプログラムを実行することによって、第２実施形態のＸ線画像診断装置１０Ａは、図７に示すように、インターフェース部３１、患者設定部３２、撮影条件設定部３３、体厚設定部３４、被曝線量比設定部３５、ＳＩＤ設定部３６、第１撮影実行部３７、第１撮影管電流量演算部３８、第１撮影入射線量演算部３９、第２撮影被曝線量演算部４０Ａ、第２撮影入射線量演算部４１Ａ、第２撮影管電流量演算部４２、第２撮影時間演算部４３、第２撮影実行部４４及び差分画像生成部４５として機能する。なお、各部３１乃至４５は、Ｘ線画像診断装置１０Ａの機能として備えられるものとして説明するが、Ｘ線画像診断装置１０Ａにハードウェアとして備えられるものであってもよい。
【００５８】
第２撮影被曝線量演算部４０Ａは、被曝線量Ｄ１を、第１撮影入射線量演算部３９によって算出された患者入射線量Ｄｐ１に基づく吸収線量Ｄａ１とし、被曝線量比設定部３５によって設定された被曝線量比Ｒと、吸収線量Ｄａ１とを基に、第２撮影における患者の被曝線量Ｄ２を算出する。吸収線量Ｄａ１の算出方法の概念を図８に示す。
【数１０】
2010213799.tif 000012
【００５９】
吸収線量Ｄａ１は、患者入射線量Ｄｐ１と、ＡＥＣセンサ１３のＡＥＣ＿ＲＯＩ（ｒｅｇｉｏｎ  ｏｆ  ｉｎｔｅｒｅｓｔ）内からＩ．Ｉ．１２ａ（ＦＰＤ）に入射した線量である検出器入射線量Ｄｆ１とを用いて、次の式のように表される。
【数１１】
2010213799.tif 000013
【００６０】
なお、患者入射線量Ｄｐ１に含まれる患者Ｐからの後方散乱Ｘ線を考慮する場合、後方散乱係数ａを用いて、前記式（４）は、次のように変形される。
【数１２】
2010213799.tif 000014
【００６１】
ここで、検出器入射線量Ｄｆ１は、第１撮影で取得された第１撮影画像内であってＡＥＣセンサ１３のＡＥＣ＿ＲＯＩに相当する画素値群を平均して算出される、第１撮影における平均画素値Ｐａ１を基に、図９に示すグラフに従って算出される。図９に示すように、管電圧値Ｖにより直線の傾きＡｆが異なる（傾きＡｆが管電圧値Ｖの関数になっている）。
【００６２】
図７に示す第２撮影入射線量演算部４１Ａは、第１撮影入射線量演算部３９によって算出される第１撮影における患者入射線量Ｄｐ１と、第２撮影被曝線量演算部４０Ａによって算出された第１撮影における検出器入射線量Ｄｆ１と、患者Ｐの体厚ｄとを基に、次の式を用いて、第１撮影の管電圧値Ｖ１における吸収係数μ１を算出する。
【数１３】
2010213799.tif 000015
【００６３】
また、第２撮影入射線量演算部４１Ａは、次の式を用いて、第２撮影の管電圧値Ｖ２における吸収係数μ２を算出する。なお、吸収線量Ｄａ１の補正係数Ｃ（Ｃ１，Ｃ２）は、図１０に示すように予め生成される曲線に従って決まるものである。図１０に示す曲線は、患者Ｐの体厚ｄ毎に予め保有することが好適である。
【数１４】
2010213799.tif 000016
【００６４】
また、第２撮影入射線量演算部４１Ａは、算出された第２撮影における被曝線量Ｄ２、第２撮影における吸収係数μ２及び患者Ｐの体厚ｄを基に、次の式を用いて、第２撮影における患者入射線量Ｄｐ２を算出する。
【数１５】
2010213799.tif 000017
【００６５】
さらに、第２撮影入射線量演算部４１Ａは、第２撮影における患者入射線量Ｄｐ２を基に、前記式（１）を用いて、基準面入射線量Ｄｐｓ２を算出する。
【００６６】
なお、図７に示す各部３１乃至４５において、図３に示す各部３１乃至４５と同一部には同一符号を付して説明を省略する。
【００６７】
第２実施形態のＸ線画像診断装置１０Ａによると、第１撮影条件としての管電流値Ｖ１、管電圧値Ｖ１及び撮影時間Ｔ１と、被曝線量比Ｒと、第２撮影条件としての管電圧値Ｖ２とを設定し、被曝線量比Ｒを満たすように第２撮影条件としての管電流値Ｉ２及び撮影時間Ｔ２を演算することで、第１撮影画像及び第２撮影画像の撮影時間を揃えることができるので、目的部位の診断に適した差分画像を表示できる。
【符号の説明】
【００６８】
１０，１０Ａ  Ｘ線画像診断装置
１３  ＡＥＣセンサ
１４  画像メモリ
１５  画像処理装置
２１  ＣＰＵ
３１  インターフェース部
３２  患者設定部
３３  撮影条件設定部
３４  体厚設定部
３５  被曝線量比設定部
３６  ＳＩＤ設定部
３７  第１撮影実行部
３８  第１撮影管電流量演算部
３９  第１撮影入射線量演算部
４０，４０Ａ  第２撮影被曝線量演算部
４１，４１Ａ  第２撮影入射線量演算部
４２  第２撮影管電流量演算部
４３  第２撮影時間演算部
４４  第２撮影実行部
４５  差分画像生成部
【図１】
2010213799.tif 000018
【図２】
2010213799.tif 000019
【図３】
2010213799.tif 000020
【図４】
2010213799.tif 000021
【図５】
2010213799.tif 000022
【図６】
2010213799.tif 000023
【図７】
2010213799.tif 000024
【図８】
2010213799.tif 000025
【図９】
2010213799.tif 000026
【図１０】
2010213799.tif 000027